(57)【要約】【課題】就寝前に学習の機会がなかった場合でも、睡眠中の記憶の定着効果を利用して学習効果を高める。【解決手段】学習装置１は、計時部２と、アラームを発生させるアラーム発生部６３と、アラーム発生部６３が起動するアラーム時刻を設定するアラーム時刻設定部６２と、ユーザに問題を提示する提示部６１と、アラーム時刻より所定時間前にアラーム発生部６３を起動させ、提示部６１によってユーザに問題を提示させた後、再度アラーム時刻にアラーム発生部６３を起動させる制御部６と、を有する。【選択図】図１
2014123074.tif 000002
【特許請求の範囲】
【請求項１】
計時部と、
アラームを発生させるアラーム発生部と、
前記アラーム発生部が起動するアラーム時刻を設定するアラーム時刻設定部と、
ユーザに問題を提示する提示部と、
前記アラーム時刻より所定時間前に前記アラーム発生部を起動させ、前記提示部によってユーザに問題を提示させた後、再度前記アラーム時刻に前記アラーム発生部を起動させる制御部と、を有する、
ことを特徴とする学習装置。
【請求項２】
前記制御部は、ユーザに提示する前記問題の問題数に応じて前記所定時間を変更する、請求項１に記載の学習装置。
【請求項３】
前記制御部は、前記アラーム時刻に前記アラーム発生部が起動されて以降、前記アラーム時刻設定部により前記アラーム時刻が設定されなかった場合に、前記アラーム時刻より所定時間前に前記アラーム発生部を起動させ、前記提示部によってユーザに前記問題を提示するように制御する、請求項１又は２に記載の学習装置。
【請求項４】
前記アラーム時刻設定部により前記アラーム時刻が設定される予想時間帯の情報を記憶する記憶部を更に有し、
前記制御部は、前記予想時間帯に前記アラーム時刻設定部により前記アラーム時刻が設定されなかった場合に、前記アラーム時刻より所定時間前に前記アラーム発生部を起動させ、前記提示部によってユーザに前記問題を提示するように制御する、請求項３に記載の学習装置。
【請求項５】
前記制御部は、前記アラーム時刻設定部により前記アラーム時刻が設定されたときに前記提示部によってユーザに前記問題を提示するように制御する、請求項１〜４の何れか一項に記載の学習装置。
【請求項６】
前記制御部は、前記アラーム時刻に前記アラーム発生部を起動させた後に、再度前記提示部によってユーザに前記問題を提示するように制御する、請求項１〜５の何れか一項に記載の学習装置。
【発明の詳細な説明】
【技術分野】
【０００１】
本発明は、目覚まし時計などで用いられるアラーム機能とユーザの学力向上のための学習機能とを融合させた学習装置に関する。
【背景技術】
【０００２】
目覚まし時計などの覚醒装置と電子学習支援装置を組み合わせることにより、起床時にユーザを確実に覚醒させ、かつ意志の弱いユーザでも毎日学習を持続させるようにした装置が知られている（例えば、特許文献１参照）。
【０００３】
特許文献１には、図８に示すように、問題提示手段Ｃに提示される問題に対して解答入力手段Ｄに解答を入力したとき、この解答の正誤を解答判定手段Ｂで判定する電子学習支援装置と覚醒装置の融合装置が開示されている。融合装置は、解答判定手段Ｂの判定の結果に基づいて覚醒刺激出力手段Ｅを制御する覚醒刺激制御手段Ａを具備している。また、融合装置では、正解率や連続正解数が所定の条件に達しない場合には、覚醒刺激出力手段Ｅの覚醒刺激、すなわちアラームが止まらない構成となっている。
【０００４】
なお、睡眠が学習（記憶定着）に役立つということも、知られている（例えば、非特許文献１参照）。すなわち、睡眠前に覚えたことは記憶として定着し易い。
【先行技術文献】
【特許文献】
【０００５】
【特許文献１】特開平８−１６６７６１号公報（請求項１及び図１）
【非特許文献】
【０００６】
【非特許文献１】"Interfering with Theories of Sleep and Memory", Current Biology 16, 1290-1294, July 11, 2006.
【発明の概要】
【発明が解決しようとする課題】
【０００７】
しかしながら、特許文献１に記載の融合装置では、起床時に初見の問題を解くのみであり学習効果を高める工夫に欠けていた。また、起床時の問題に答える時間が考慮されていないため、起床時間が遅れてしまうという問題もあった。さらに、問題の出題パターンが、アラーム作動時から起床するまでの時間に関係ないため、早く起きる動機付けが弱いという欠点があった。
【０００８】
このような課題に対処した学習装置として、アラーム設定時などに問題を予告してユーザに学習させ、アラームの発生時（起床時）にその問題を再度出題するものが考えられる。そうした学習装置では、ユーザが就寝前にアラームの時刻を設定し、その際に学習することが前提となる。しかしながら、携帯電話などに備わる高機能な目覚まし時計では、アラームの「繰り返し」機能を利用すれば、ユーザが毎晩設定しなくても、例えば平日は毎日７時にアラームを発生させることが可能である。したがって、ユーザがアラームを設定する際に学習することを前提とすると、ユーザは就寝前に学習する機会を逸し易くなる。
【０００９】
そこで、本発明は、就寝前に学習の機会がなかった場合でも、睡眠中の記憶の定着効果を利用して学習効果を高めることを目的とする。さらに、本発明は、起床時間に遅れることなく学習効果を高めるとともに、学習に対するユーザの動機付けも高めることを目的とする。
【課題を解決するための手段】
【００１０】
本発明に係る学習装置は、計時部と、アラームを発生させるアラーム発生部と、アラーム発生部が起動するアラーム時刻を設定するアラーム時刻設定部と、ユーザに問題を提示する提示部と、アラーム時刻より所定時間前にアラーム発生部を起動させ、提示部によってユーザに問題を提示させた後、再度アラーム時刻にアラーム発生部を起動させる制御部と、を有することを特徴とする。
【００１１】
本発明に係る学習装置では、制御部は、ユーザに提示する問題の問題数に応じて所定時間を変更することが好ましい。
【００１２】
本発明に係る学習装置では、制御部は、アラーム時刻にアラーム発生部が起動されて以降、アラーム時刻設定部によりアラーム時刻が設定されなかった場合に、アラーム時刻より所定時間前にアラーム発生部を起動させ、提示部によってユーザに問題を提示するように制御することが好ましい。
【００１３】
本発明に係る学習装置では、アラーム時刻設定部によりアラーム時刻が設定される予想時間帯の情報を記憶する記憶部を更に有し、制御部は、予想時間帯にアラーム時刻設定部によりアラーム時刻が設定されなかった場合に、アラーム時刻より所定時間前にアラーム発生部を起動させ、提示部によってユーザに問題を提示するように制御することが好ましい。
【００１４】
本発明に係る学習装置では、制御部は、アラーム時刻設定部によりアラーム時刻が設定されたときに提示部によってユーザに問題を提示するように制御することが好ましい。
【００１５】
本発明に係る学習装置では、制御部は、アラーム時刻にアラーム発生部を起動させた後に、再度提示部によってユーザに問題を提示するように制御することが好ましい。
【発明の効果】
【００１６】
本発明によれば、就寝前に学習の機会がなかった場合でも、睡眠中の記憶の定着効果を利用して学習効果を高めることが可能になる。さらに、本発明によれば、起床時間に遅れることなく学習効果を高めるとともに、学習に対するユーザの動機付けも高めることが可能になる。
【図面の簡単な説明】
【００１７】
【図１】学習装置１の構成を示す概略ブロック図である。
【図２】ユーザの就寝前の時間帯における学習装置１の動作例を示すフローチャートである。
【図３】ユーザの起床前における学習装置１の動作例を示すフローチャートである。
【図４】図２の動作例にて、ユーザ３０がアラームを設定した場合又は学習アプリを実行した場合のシーケンス図である。
【図５ａ】図２の動作例における学習装置１の表示例（１）を示す外観図である。
【図５ｂ】図２の動作例における学習装置１の表示例（２）を示す外観図である。
【図５ｃ】図２の動作例における学習装置１の表示例（３）を示す外観図である。
【図５ｄ】図２の動作例における学習装置１の表示例（４）を示す外観図である。
【図５ｅ】図２の動作例における学習装置１の表示例（５）を示す外観図である。
【図５ｆ】図２の動作例における学習装置１の表示例（６）を示す外観図である。
【図５ｇ】図２の動作例における学習装置１の表示例（７）を示す外観図である。
【図６】図３の動作例にて、ユーザ３０がアラーム時刻の前に問題を解く場合のシーケンス図である。
【図７ａ】図３の動作例における学習装置１の表示例（１）を示す外観図である。
【図７ｂ】図３の動作例における学習装置１の表示例（２）を示す外観図である。
【図７ｃ】図３の動作例における学習装置１の表示例（３）を示す外観図である。
【図７ｄ】図３の動作例における学習装置１の表示例（４）を示す外観図である。
【図７ｅ】図３の動作例における学習装置１の表示例（５）を示す外観図である。
【図７ｆ】図３の動作例における学習装置１の表示例（６）を示す外観図である。
【図７ｇ】図３の動作例における学習装置１の表示例（７）を示す外観図である。
【図８】従来の学習装置のブロック図である。
【発明を実施するための形態】
【００１８】
以下、図面を参照して、学習装置について説明する。但し、本発明の技術的範囲はそれらの実施の形態に限定されず、特許請求の範囲に記載された発明とその均等物に及ぶ点に留意されたい。
【００１９】
以下に説明する学習装置１は、ユーザが就寝時にアラームを設定すると、起床時に出題する問題や解答のヒントあるいは解き方などを予め提示し、ユーザに就寝前に学習するように促す。また、学習装置１は、ユーザがアラームの繰り返し機能を利用して就寝前にアラームを設定しない場合でも、ユーザの就寝前の時間帯に自動的に起動し、やはりユーザに就寝前に学習するように促す。そして、ユーザが就寝前に学習しなかった場合は、学習装置１は、設定されたアラームの発生時刻（以下、「アラーム時刻」という）より一定時間早くユーザを覚醒させ、問題を出題し、その後ユーザに二度寝を促す。これによって、学習装置１は、ユーザが就寝前にアラームを設定しない場合でも、学習の機会及び学習後の睡眠（二度寝）時間を確保する。また、学習装置１は、ユーザの睡眠中の記憶向上及び論理能力向上を支援して学習効果を高め、かつユーザの学習への動機付けも高める。
【００２０】
以下では、液晶画面にタッチパネルを備えたスマートフォンなどの携帯電話端末で学習装置１を構成し、その携帯電話端末上で実行されるアプリケーションプログラムとして学習装置１の機能を実現した例を説明する。以下では、このアプリケーションプログラムのことを「学習アプリ」という。ただし、学習装置１は、パーソナルコンピュータや、タブレット端末、目覚まし時計などの他の装置で構成してもよい。
【００２１】
図１は、学習装置１の構成を示す概略ブロック図である。
【００２２】
図１に示すように、学習装置１は、計時部２、スピーカ４、バイブレータ５、制御部６、提示部６１、アラーム時刻設定部６２、アラーム発生部６３、外部インターフェイス部７、ユーザインターフェイス部１２、タッチパネルディスプレイ１３、アラーム時刻メモリ１４、出題内容メモリ１５、及び学習状況メモリ１６などから構成されている。
【００２３】
計時部２は、学習装置１の時計機能を管理し、時間計測機能とカレンダー機能を備える。
【００２４】
スピーカ４は、アラーム時刻に、ユーザを覚醒させるためのベル音などを鳴動する。スピーカ４は、学習装置１からユーザに音声で学習のガイダンスを行う機能を有してもよい。
【００２５】
バイブレータ５は、ユーザへの報知を目的として学習装置１を振動させる。以下では、ユーザを覚醒させるためのアラームを、スピーカ４によるベル音であるとして説明するが、アラームはバイブレータ５による振動でもよい。
【００２６】
制御部６は、ＣＰＵ、ＲＡＭ及びＲＯＭなどで構成され、学習装置１の論理動作判断、入出力制御、及びデータ記憶などの学習装置１の動作全体を制御する。
【００２７】
提示部６１は、ユーザインターフェイス部１２又はタッチパネルディスプレイ１３を介して、ユーザに問題を提示（すなわち出題）する。出題される問題は、出題内容メモリ１５に予め保持されているものでもよいし、学習装置１がインターネット経由で外部から取得するものでもよい。
【００２８】
アラーム時刻設定部６２は、ユーザインターフェイス部１２又はタッチパネルディスプレイ１３を介して、アラームの設定画面を表示させ、ユーザがアラームを設定する操作を受け付ける。その設定画面では、曜日単位で異なる時刻にアラーム時刻を設定可能であり、曜日ごとに設定された時刻に毎週アラームを発生させる「繰り返し」機能を利用するように設定可能である。この機能を利用すると、アラームの設定を毎晩行わなくても、例えば、平日は毎日７時に鳴らし、土曜と日曜は８時に鳴らすなど、曜日ごとに決まった時刻にアラームを発生させることができる。なお、アラームの設定画面では、単に翌朝のアラームを設定することも可能である。以下では、ユーザが上記の繰り返し機能を利用してアラームを設定していること前提とする。
【００２９】
アラーム発生部６３は、アラーム時刻に起動し、ユーザを覚醒させるためのアラームとして、スピーカ４を介してベル音などを鳴動させる。なお、アラーム発生部６３は、アラームとして、バイブレータ５を介して学習装置１を振動させてもよい。
【００３０】
また、アラーム発生部６３は、アラームの発生時に、タッチパネルディスプレイ１３にアラームボタンを表示させる。そのアラームボタンは、スヌーズ機能又はアラーム停止機能を備える。スヌーズとは、アラームのベル音の鳴動を一時停止し、例えば３分間など予め定められた時間の経過後に再びベル音を鳴動する機能である。
【００３１】
なお、学習装置１を目覚まし時計などの他の装置で構成する場合は、スライド動作及びプッシュ動作の何れも可能なハードウェアのスイッチとして、アラームボタンを設けてもよい。この場合、例えば引き上げるとアラームが設定され、軽く押すとスヌーズ機能が働き、さらに下方に押して固定するとアラームの設定が解除されてベル音の鳴動が停止するように、アラームボタンを構成してもよい。
【００３２】
また、制御部６は、ユーザが就寝前に学習しなかった場合に、アラーム時刻設定部６２によって設定されたアラーム時刻より所定時間前にアラーム発生部６３を起動させ、提示部６１によってユーザに問題を提示させた後、再度アラーム時刻にアラーム発生部６３を起動させる。制御部６は、出題後にユーザに与える二度寝の時間と、ユーザが問題を解く時間とを考慮して、その所定時間を調整する。特に、制御部６は、提示部６１がユーザに提示する問題の問題数が多いほど上記の所定時間を長くするなど、問題数に応じて所定時間を変更する。
【００３３】
外部インターフェイス部７は、学習装置１を電気通信回線網に接続する。
【００３４】
ユーザインターフェイス部１２は、ユーザと学習装置１との接点であるタッチパネルディスプレイ１３と制御部６とを接続する。
【００３５】
タッチパネルディスプレイ１３は、液晶表示器による出力機能及びタッチパネル入力機能を備え、学習装置１がユーザに出題する問題を表示すると共に、ユーザの解答をタッチパネル方式で入力して受け付ける。
【００３６】
アラーム時刻メモリ１４、出題内容メモリ１５、及び学習状況メモリ１６は、不揮発記憶素子で構成されている。アラーム時刻メモリ１４は、アラーム時刻や、アラーム時刻設定部６２によりアラーム時刻が設定される予想時間帯などの、アラームに係わる情報を記憶する。出題内容メモリ１５は、提示部６１により出題される問題と、その解答や制限時間などの関連する情報を記憶する。学習状況メモリ１６は、ユーザが就寝前に学習をしたか否かを示す情報を記憶する。
【００３７】
ユーザは就寝前にアラームを設定することが見込まれるため、以下では、アラーム時刻が設定される予想時間帯を就寝前の時間帯とする。学習装置１は、就寝前の時間帯にユーザが改めてアラームを設定した場合には、学習アプリを起動し、起床時に出題される問題や解答のヒントあるいは解き方などを予め提示して、ユーザに問題を学習するように促す。ユーザが就寝前にアラームを設定しない場合でも、学習装置１は、ユーザの就寝前の時間帯に学習アプリを自動的に起動する。これにより、学習装置１は、就寝前に、ユーザに学習アプリの問題を学習するように促す。
【００３８】
学習装置１では、一例として、就寝前の時間帯を、ユーザが予め設定した就寝時刻の前後１時間とする。そして、学習アプリの起動時刻を、ユーザが予め設定した就寝時刻の１時間前とする。例えば、２３時を就寝時刻とした場合、２２時〜２４時の間を就寝前の時間帯とし、２２時を起動時刻とする。あるいは、前日の就寝前にユーザが学習アプリで学習を開始した時刻を起動時刻として、この時刻を基準に就寝前の時間帯を決めてもよい。学習アプリの起動時刻は、過去一定期間にわたる、学習開始時刻の平均でもよい。
【００３９】
図２は、ユーザの就寝前の時間帯における学習装置１の動作例を示すフローチャートである。
【００４０】
図２において、学習装置１の処理ステップは、制御部６に予め記憶されているプログラムに従って、制御部６に含まれるＣＰＵが、学習装置１に含まれる各要素と共同して実行する。なお、以下では処理ステップＰ１１〜Ｐ１６を単にＰ１１〜Ｐ１６と表記する。
【００４１】
制御部６は、就寝前の時間帯として設定された起動時刻に学習アプリを起動する（Ｐ１１）。そして制御部６は、就寝前の時間帯を過ぎるまで、ユーザによりアラームが設定又は学習アプリが実行される（すなわち、学習が開始される）のを待つ（Ｐ１２，Ｐ１３）。例えば、ユーザが予め設定した就寝時刻の１時間前に学習アプリを起動し、その就寝時刻の１時間後まで待機する。就寝時刻の１時間後まで待機しても、ユーザによりアラームが設定又は学習アプリが実行されなかった場合（Ｐ１３でＹｅｓ）は、制御部６は、ユーザが就寝前に学習を行わなかったものとみなす。この場合、制御部６は、ユーザが学習していないことを示す情報を学習状況メモリ１６に記憶し（Ｐ１４）、動作を終了する。
【００４２】
ユーザが、翌朝に希望する時間に起床するため学習装置１のアラームを改めて設定した場合（Ｐ１２でＹｅｓ）は、Ｐ１５に移行する。ユーザがアラームを設定しなくても、ユーザが学習アプリを実行した場合（Ｐ１２でＹｅｓ）は、やはりＰ１４に移行する。
【００４３】
アラームが設定されるか又はユーザが学習アプリを実行すると、次に学習装置１は、問題の予告をユーザに提示する（Ｐ１５）。ここでは、提示部６１が問題と解答を提示し、ユーザはそれを確認する。なお、ここでタッチパネルディスプレイ１３を介してユーザが解答を入力できるようにして、ユーザに問題を解かせてもよい。出題が終了したら、制御部６は、ユーザが学習済みであることを学習状況メモリ１６に記憶する（Ｐ１６）。以上で、ユーザの就寝前の時間帯における学習装置１の動作は終了する。
【００４４】
ユーザが就寝前に学習しなかった場合、制御部６は、設定されたアラーム時刻より所定時間だけ早くアラーム発生部６３を起動させ、その時刻にユーザを覚醒させる。そして提示部６１によって問題を出題させ、ユーザが問題を解き終わったら、アラーム時刻までユーザに二度寝を促す。以下では、設定されたアラーム時刻に発生するアラームを「本アラーム」という。また、ユーザに問題を解かせるためにユーザを覚醒させる、本アラームより前のアラームを「プレアラーム」という。プレアラームの発生時刻を「プレアラーム時刻」という。
【００４５】
プレアラーム時刻は、アラーム時刻から、二度寝の時間と学習時間の分だけさかのぼった時刻である。二度寝時間は、予め定められた時間（例えば１時間）とする。学習時間は、出題される問題数に応じて定められた時間（例えば１０問出題される場合は１５分）とする。学習時間は、出題される問題数に応じて増減させてもよい。
【００４６】
図３は、ユーザの起床前における学習装置１の動作例を示すフローチャートである。
【００４７】
図３において、学習装置１の処理ステップは、制御部６に予め記憶されているプログラムに従って、制御部６に含まれるＣＰＵが、学習装置１に含まれる各要素と共同して実行する。なお、以下では処理ステップＰ２１〜Ｐ３１を単にＰ２１〜Ｐ３１と表記する。
【００４８】
まず、制御部６は、学習状況メモリ１６を参照し、ユーザが就寝前に学習を済ませているか否かを確認する（Ｐ２１）。ユーザが既に学習済みの場合（Ｐ２１でＹｅｓ）、制御部６は、アラーム時刻になるまで待機してからアラーム発生部６３に本アラームを発生（ベル音を鳴動）させ（Ｐ３１）、処理を終了する。
【００４９】
ユーザが就寝前に学習していない場合（Ｐ２１でＮｏ）は、アラーム時刻の前にユーザを起こして学習させるため、制御部６は、既に述べたようにプレアラーム時刻を設定する（Ｐ２２）。その後、制御部６は、プレアラーム時刻になるまで待機し、アラーム発生部６３にプレアラームを発生させて、ユーザを覚醒させる（Ｐ２３）。このときアラーム発生部６３がタッチパネルディスプレイ１３に表示させるアラームボタンをユーザが操作すると、アラーム発生部６３はその操作を受け付け、プレアラームを停止させる（Ｐ２４）。なお、このときはスヌーズ機能を利用する。
【００５０】
続いて、提示部６１は、ユーザが就寝前に学習するはずだった問題を出題する（Ｐ２５）。その問題について定められた制限時間内に解答がない場合（Ｐ２６でＮｏ）は、アラーム発生部６３は、ユーザを寝かさないように再びアラームを発生させる（Ｐ２７）。解答が入力されたら、アラーム発生部６３はアラームを停止させ（Ｐ２８）、次の問題に移行する。ユーザが制限時間内に解答した場合（Ｐ２６でＹｅｓ）は、アラームを鳴動させずに次の問題に移行する。次の問題があれば（Ｐ２９でＹｅｓ）Ｐ２５に戻り、提示部６１がユーザに次の問題を出題する。
【００５１】
次の問題がなければ（Ｐ２９でＮｏ）、決められた学習は終了したとして、制御部６は、ユーザにアラーム時刻まで二度寝するように促す（Ｐ３０）。その後、制御部６は、アラーム時刻になるまで待機し、アラーム発生部６３に本アラームを発生させて、ユーザを覚醒させる（Ｐ３１）。以上で、ユーザの起床前における学習装置１の動作は終了する。
【００５２】
なお、上記の例では、アラームを停止すると問題が出題されるように設定されているが、提示部６１は、アラーム時刻となったら問題の出題を開始してもよい。
【００５３】
また、本アラームによりユーザが起床した後で、睡眠中の記憶の定着効果をみるために、提示部６１は、就寝前又は二度寝前に出題した問題を再度ユーザに出題してもよい。
【００５４】
図４は、ユーザの就寝前の時間帯における図２の動作例にて、ユーザ３０がアラームを設定した場合又は学習アプリを実行した場合のシーケンス図である。また、図５ａ〜図５ｇは、図２の動作例における学習装置１の表示例を示す外観図である。
【００５５】
まず、図５ａは、既にアラームが設定されている場合の学習装置１の表示例である。タッチパネルディスプレイ１３のアラーム時刻表示部１３ａには、アラーム時刻とアラームが設定されたことを示すマークが表示される。このマークとアラーム時刻は、アラームの設定が解除されるまで表示され続ける。アラーム時刻は、アラーム時刻表示部１３ａを指でタッチすることによって変更することができる。
【００５６】
この状態で、学習装置１では、制御部６が就寝前の時間帯に学習アプリを起動する（Ｓ１１）。このとき、制御部６は、ユーザ３０に学習を促すメッセージをタッチパネルディスプレイ１３に表示する（Ｓ１２）。例えば、図５ｂ示すように、タッチパネルディスプレイ１３に、“学習の時間です”というメッセージと、「開始する」ボタン１３ｓ及び「後で通知」ボタン１３ｔを表示する。ユーザ３０が「開始する」ボタン１３ｓを押すと、制御部６は、学習アプリを開始する。また、ユーザ３０が「後で通知」ボタン１３ｔを押すと、一定時間経過後に、制御部６は、再度図５ｂのメッセージをタッチパネルディスプレイ１３に表示する。
【００５７】
ここでは、ユーザ３０が「開始する」ボタン１３ｓを押すか又は学習装置１のアラームを改めて設定する場合を考える（Ｓ１３）。「開始する」ボタン１３ｓを押した場合はその後で、またアラームを改めて設定する場合はその設定が終わった後で、提示部６１は、ユーザインターフェイス部１２を介してタッチパネルディスプレイ１３に、図５ｃに示すように、１番目の問題の予告を提示する（Ｓ１４）。このとき、タッチパネルディスプレイ１３には、次ボタン１３ｎ及び前ボタン１３ｂも表示される。
【００５８】
次に、ユーザ３０は、問題を確認すると、タッチパネルディスプレイ１３の次ボタン１３ｎを押す（Ｓ１５）。すると、提示部６１は、図５ｄに示すように、タッチパネルディスプレイ１３に問題の解答を提示する（Ｓ１６）。なお、提示部６１は、解答のヒントや、解答すべき問題の解き方、解答の解説などを提示してもよい。
【００５９】
再度ユーザ３０が次ボタン１３ｎを押すと、提示部６１は、図５ｅに示すように、タッチパネルディスプレイ１３に２番目の問題の予告を提示する（Ｓ１７）。次に、ユーザが問題を確認した後、次ボタン１３ｎを押すと、提示部６１は、図５ｆに示すように、タッチパネルディスプレイ１３に２番目の問題の解答を提示する。
【００６０】
このようなＳ１４〜Ｓ１７と同様の手順を繰り返して、ユーザ３０は、出題された全ての問題と解答を得る。
【００６１】
なお、ユーザ３０が前ボタン１３ｂを押すと、その直前の問題が表示される。また、ユーザ３０が次ボタン１３ｎを長く押し続けると、提示部６１は問題の予告を途中で中止する。Ｓ１４〜Ｓ１７のルーチンは、途中でユーザ３０が次ボタン１３ｎを長く押さない限り、ユーザ３０に出題すべきものと定められた全ての問題が終了するまで継続する。
【００６２】
次に、制御部６は、タッチパネルディスプレイ１３を介してユーザに終了メッセージを送る（Ｓ１８）。図５ｇに示すように、このときタッチパネルディスプレイ１３は、“問題の予告は終了です”と表示する。最後に、制御部６は、ユーザが学習済みであることを学習状況メモリ１６に記憶する（Ｓ１９）。以上で、図２の動作例にて、ユーザ３０がアラームを設定した場合又は学習アプリを実行した場合のシーケンスは終了する。
【００６３】
図４に示す予告提示は、睡眠時の無意識の作用を利用するためのものであり、起床時に解答すべき問題に関する情報を就寝直前に予告することで、起床時の問題正当率が向上するという学習効果を得ることを目的としている。
【００６４】
図６は、図３の動作例にて、ユーザ３０がアラーム時刻の前に問題を解く場合のシーケンス図である。また、図７ａ〜図７ｇは、図３の動作例における学習装置１の表示例を示す外観図である。
【００６５】
ユーザが就寝前に学習していない場合、まず、制御部６は、ユーザ３０が二度寝する時間の長さと、プレアラーム時刻に出題すべき問題の量及び難易度から、プレアラーム時刻を調整する（Ｓ２１）。そして制御部６は、その時刻をアラーム時刻メモリ１４に記憶する。例えば、制御部６は、問題の量が多ければプレアラーム時刻を１問当たり１分間繰り上げるなどの調整を行う。また、制御部６は、問題ごとに定義されている難易度を参照し、難易度の高い問題数が多ければプレアラーム時刻を１問当たり２分間繰り上げてもよい。
【００６６】
そしてアラーム発生部６３は、図７ａに示すように、アラーム時刻メモリ１４に記憶されたプレアラーム時刻にスピーカ４でベル音を鳴動して、ユーザ３０を覚醒させる（Ｓ２２）。このとき、タッチパネルディスプレイ１３に表示されるアラームボタン（「停止」ボタン）３をユーザ３０が押すとスヌーズが選択され、ベル音の鳴動が停止する（Ｓ２３）。
【００６７】
次に、提示部６１は、ユーザインターフェイス部１２を介してタッチパネルディスプレイ１３に最初の問題を出題する（Ｓ２４）。図７ｂに示すように、アラームが停止するとタッチパネルディスプレイ１３に１番目の問題が出題される。
【００６８】
次に、ユーザ３０は、１番目の問題を確認すると、次ボタン１３ｎを押して、解答を入力するための画面を要求する（Ｓ２５）。
【００６９】
次に、制御部６は、タッチパネルディスプレイ１３に解答画面を提示する（Ｓ２６）。図７ｃに示すように、タッチパネルディスプレイ１３には、１番目の問題の解答を入力する画面が提示される。
【００７０】
次に、ユーザ３０は、タッチパネルディスプレイ１３に表示された解答欄を押して解答を入力する（Ｓ２７）。例えば、ユーザ３０は、図７ｃに示すタッチパネルディスプレイ１３の“Ａ”又は“Ｂ”の解答欄を押す。なお、上記の通り、提示された問題について定められた制限時間内に解答がない場合は、再びアラームが発生し、タッチパネルディスプレイ１３にはアラームを停止するためのアラームボタン３が表示される。こうして学習装置１は、ユーザ３０が途中で眠ることなく、問題に解答するように促す。
【００７１】
次に、提示部６１は、タッチパネルディスプレイ１３にユーザの解答が正解か不正解かを提示する（Ｓ２８）。例えば、図７ｄに示すように、タッチパネルディスプレイ１３には、１番目の解答が正解か不正解かが提示される。
【００７２】
次に、ユーザ３０は、次ボタン１３ｎで２番目の問題を要求する（Ｓ２９）。ユーザ３０が次ボタン１３ｎを押すと、図７ｅに示すように、タッチパネルディスプレイ１３に２番目の問題が出題される。ユーザが再度次ボタン１３ｎを押すと、図７ｆに示すように、２番目の解答を入力する画面が提示される。ユーザ３０は、解答欄を押して解答を入力する。
【００７３】
図６に示すＳ２４〜Ｓ２９のルーチンは、出題すべき全ての問題が終了するまで繰り返される。全ての問題が終了すると、制御部６は、タッチパネルディスプレイ１３に終了のメッセージを表示する（Ｓ３０）。図７ｇに示すように、このときタッチパネルディスプレイ１３は、“終了です。起床時刻までお休みください”と表示する。以上で、図３の動作例にて、ユーザ３０がアラーム時刻の前に問題を解く場合のシーケンスは終了する。
【００７４】
上記で説明した学習装置１によれば、ユーザが就寝前に学習アプリで学習しなかった場合でも、アラーム時刻より一定時間早い時刻にプレアラームを発生させてユーザを覚醒させ、問題を出題することにより、ユーザの学習の機会を確保することができる。さらにその後ユーザに二度寝を促すことにより、睡眠中の記憶の定着効果を利用して学習効果を高めることが可能になる。また、就寝前に学習をしないと本来の起床時刻より早く起こされることになるため、ユーザにとっては就寝前に学習を行う動機付けが高まるという利点もある。
【００７５】
なお、上述した実施形態では、ユーザが就寝前に提示された問題について学習しなかった場合に、本アラームの前にプレアラームを発生させるようにしているが、これに限られるものではなく、就寝前にユーザに問題を提示しなくてもよい。例えば、ユーザの就寝前には学習アプリが起動せず、ユーザは問題が提示されることなく就寝し、本アラームの前のプレアラーム発生時にユーザに対し初めて問題が提示されるようにしてもよい。この場合、ユーザが就寝前に学習を済ませているか否かの確認は不要となる。
【符号の説明】
【００７６】
１    学習装置
２    計時部
４    スピーカ
５    バイブレータ
６    制御部
６１    提示部
６２    アラーム時刻設定部
６３    アラーム発生部
７    外部インターフェイス部
１２    ユーザインターフェイス部
１３    タッチパネルディスプレイ
１４    アラーム時刻メモリ
１５    出題内容メモリ
１６    学習状況メモリ
３０    ユーザ
【図１】
2014123074.tif 000003
【図２】
2014123074.tif 000004
【図３】
2014123074.tif 000005
【図４】
2014123074.tif 000006
【図５ａ】
2014123074.tif 000007
【図５ｂ】
2014123074.tif 000008
【図５ｃ】
2014123074.tif 000009
【図５ｄ】
2014123074.tif 000010
【図５ｅ】
2014123074.tif 000011
【図５ｆ】
2014123074.tif 000012
【図５ｇ】
2014123074.tif 000013
【図６】
2014123074.tif 000014
【図７ａ】
2014123074.tif 000015
【図７ｂ】
2014123074.tif 000016
【図７ｃ】
2014123074.tif 000017
【図７ｄ】
2014123074.tif 000018
【図７ｅ】
2014123074.tif 000019
【図７ｆ】
2014123074.tif 000020
【図７ｇ】
2014123074.tif 000021
【図８】
2014123074.tif 000022